(57)【要約】【課題】  段ボールは、段ボール箱として専ら包装材料として利用されているが、重量物梱包を目的とする場合、複両面段ボールや複々両面段ボールのように多層構造にして耐圧強度を高くしなければならず、材料増加によるコスト高や重量増加の原因となる。また、段ボールの板厚が厚くなることによる保管スペースの問題、輸送効率の低下などの問題も生じる。【解決手段】  耐圧強度を高めることを目的とした段ボール製の箱体であって、中板紙の両側に段数の異なる片面段ボールを配した複両面段ボール構造とし、該中板紙の坪量を各片面段ボールの板紙より大きくすると共に、段数の多い片面段ボール側から折罫を入れて製函する。【選択図】      図２
2005029219.tif 000002
【特許請求の範囲】
【請求項１】
耐圧強度を高めることを目的とした段ボール製の箱体であって、中板紙の両側に段数の異なる片面段ボールを配した複両面段ボール構造とし、該中板紙の坪量を各片面段ボールの板紙より大きくすると共に、段数の多い片面段ボール側から折罫を入れて製函したこと特徴とする段ボール箱。
【請求項２】
中板紙は、紙管原紙である請求項１記載の段ボール箱。
【発明の詳細な説明】
【技術分野】
【０００１】
本発明は、段ボール箱の改良に関するものである。
【背景技術】
【０００２】
段ボールは、波形に成形した中しん原紙の片面或いは両面に板紙として段ボール原紙（以下、「ライナ」という。また、複両面段ボールの中央に用いられる段ボール原紙を「中ライナ」という。）を貼った構造のものであり、片面段ボール、両面段ボール、複両面段ボールなどがある。複両面段ボールなど２層以上積層した構造の段ボールでは、中しん原紙の波形の段数の組み合わせにより、ＡＡ、ＡＢ、ＡＡＡ、ＡＡＢなど各種のフルートがあり、重量物や精密機器など梱包する物品や用途に応じ、耐圧強度を高めて幅広く対応できるようにしている。
【０００３】
ＡＢフルートなど異なる段数を組み合わせた段ボールの場合、段数の多いＢフルート側を表にして印刷を施し、段数の少ないＡフルート側に折罫を入れて、段ボール箱に形成するのが一般的である。これは、段数が多いＢフルート側の方が表面に凹凸が生じにくく印刷しやすいことや、綺麗に折り曲げることができることなどが主な理由である。
【発明の開示】
【発明が解決しようとする課題】
【０００４】
段ボールは、段ボール箱に形成することによって専ら包装材料として利用されているものの、特に重量物梱包を目的とする場合は、上述したように複両面段ボールや複々両面段ボールのように多層構造にすることによって耐圧強度を高くする必要があり、材料増加によるコスト高や重量増加による取り扱いにくさの原因となっていた。また、段ボールの板厚が厚くなることによる保管スペースの問題、輸送効率の低下などの問題も生じていた。
【課題を解決するための手段】
【０００５】
そこで本発明者は上記問題に鑑み鋭意研究の結果、本発明を成し得たものでありその特徴とするところは、耐圧強度を高めることを目的とした段ボール製の箱体であって、中板紙の両側に段数の異なる片面段ボールを配した複両面段ボール構造とし、該中板紙の坪量を各片面段ボールの板紙より大きくすると共に、段数の多い片面段ボール側から折罫を入れて製函したことにある。
【０００６】
ここで、本明細書中でいう「板紙」とは、紙に比して坪量及び厚さの大きい紙を総称していう。坪量は、紙の面積１m2に対する重量をgで表したものである。段ボールには、ジュートライナやクラフトライナが利用され、坪量は通常約１８０〜３２０程度であるが、４４０程度の大きさのライナを利用する場合がある。従来では、複両面段ボールの基本的な構造として、両側のライナに対し坪量の小さい中ライナが一般的に用いられている。
【０００７】
「紙管原紙」とは、段ボール、新聞、雑誌などの古紙を原料として抄合された板紙であり、フィルム、紙、糸などの巻きしんや紙筒などに使用される。紙管原紙は坪量が３００〜７４０であり圧縮強さがかなり高くなる。板紙は、紙管原紙に限らず坪量が大きくなるに従って圧縮強度が高くなる反面、もろさを有し折罫を入れたときの罫割れや折り曲げたときに破断しやすくなる問題が生じる。
【０００８】
本発明においては、段数の異なる片面段ボールを組み合わせた複両面段ボール構造とし、両側に配された板紙の坪量より中央の板紙（中板紙）の坪量を大きくする。これは、できるだけ段ボール重量を少なくして所定の強度を得ることを目的とするためである。
【０００９】
このことから、本発明では中央に配される板紙の坪量を大きくすることで圧縮強度を高くすると共に、包装材料としての美観を保持できる構造となる。さらに、本発明ではこのような複両面段ボール構造に対して、段数の少ない片面段ボール側に印刷を施し、段数の多い片面段ボールの側から折罫を入れて段ボール箱を形成する。例えば、中板紙として紙管原紙を中心に、表面側にＡフルートの片面段ボール、裏面側にＢフルートの片面段ボールを配したＡＢフルート構造とし、従来とは逆にＡフルート側に印刷を行って、段の多いＢフルート側から折罫を入れて製函する。この点については、後述する実験結果からも明らかなように、例えばＡＢフルートの場合、Ａフルート側を表面にする方が高い圧縮強度が得られるためであり、内面側をＢフルート、外面側をＢフルートより圧縮強度が高いＡフルートとした箱体構造によるものと考えられる。
【００１０】
紙管原紙は、基本的に複両面段ボールの中ライナ材として用いるが、これの両側に配する片面段ボールの少なくとも裏面側（ＡＢフルートの場合は、Ｂフルート側）にライナ材として用いてもよい。この場合でも、中央の紙管原紙より坪量の小さい紙管原紙を用いることにより、圧縮強度を高めながら罫割れの発生を少なくすることができる。また、罫割れを防止する手段として、折罫を２ヶ所に分散して設けるのが好ましい。このようにすれば、折り曲げ部分の角度を大きくすることで、坪量の大きな板紙の罫割れを少なくすることができ、しかも表面側のライナに対しても応力（折り曲げたときの引張応力）を分散して弱め、保護を図ることができる。
【００１１】
本発明に係る段ボール箱は、ＯＡ機器、医療用機械器具、機械部品などの重量物を梱包し、積み重ねて保管・輸送する場合における圧縮強度を高めることを目的とするものである。このため、箱の構造は特に限定するものではなく、少なくとも長さ面と幅面で構成する周囲の四面を、上述した構造の段ボールで形成したものであればよい。
【発明の効果】
【００１２】
本発明に係る段ボール箱は、耐圧強度を高めることを目的とした段ボール製の箱体であって、中板紙の両側に段数の異なる片面段ボールを配した複両面段ボール構造とし、該中板紙の坪量を各片面段ボールの板紙より大きくすると共に、段数の多い片面段ボール側から折罫を入れて製函したことにより、従来の段ボール製造工程と同じ工程で製造できる複両面段ボールによって、より耐圧強度の高い段ボール箱に形成することが可能となる。また、安価な紙管原紙を利用することで、製造コストが安くなる効果がある。
【００１３】
さらに、従来の複両面段ボールより板厚を薄くして同等若しくはそれ以上の耐圧強度を得ることができ、製造コストを低くできるのみならず、箱を折り畳んだ状態での嵩や重量が小さくなり、輸送効率が向上し、取り扱いも容易になるなど実用上極めて有益な効果を有するものである。
【発明を実施するための最良の形態】
【００１４】
本発明は、複両面段ボールにおける中板紙の坪量を他の板紙より大きくし、段数の多い片面段ボール側から折罫を入れて製函することで、従来の段ボール箱に比して耐圧強度を高めることを実現した。
【実施例１】
【００１５】
図１は、本発明に係る段ボール箱１を形成する段ボール構造の一例であり、ＡＢフルートの複両面段ボール構造を示す。同図（ａ）は中ライナ２の表裏面に、Ａフルートの片面段ボールＡと、Ｂフルートの片面段ボールＢを貼り合わせた構造である。同図（ｂ）は同図（ａ）の中ライナ２に代えて紙管原紙３を用いたもので、同図（ｃ）はＢフルート側のライナを紙管原紙３に代えた構造である。いずれの構造においても、段数の多いＢフルート側から折罫を入れて製函すると共に、両側の板紙より中央の板紙の坪量を大きくすることによって、所定の圧縮強度を得るようにする。
【００１６】
図２は、本発明に係る段ボール箱１の一例を示すもので、長さ面１１と幅面１２で周囲の四面を構成し、各面の一方側にフラップ１３を設けた、いわゆる半Ａ式と呼ばれる底フラップの無い構造である。この段ボール箱１は、図の部分拡大図に示すように、ＡＢフルートの複両面段ボールで形成したもので、中板紙として紙管原紙３を用い、該Ｂフルート側に入れられた折罫１４部分を内側にして折り曲げて形成したものである。これを図のように、コピー機などの重量物を載置した台座１５に被せて梱包する。
【実施例２】
【００１７】
図３は、本発明に係る段ボール箱１の他の例であり、折罫１４を２ヶ所に分散して設けたものである。折罫１４を複数にすることで、各折罫１４の折り曲げ角度を大きくして９０°に折り曲げることができ、罫割れの発生を少なくすることができる。
【００１８】
ここで、本発明に係る段ボール箱１の耐圧試験結果を表１に示す。
比較する試料と本発明段ボール箱の段ボールの構造を下記に示す。
比較試料
ＡＡ段  Ｋ４４０／ＳＣＰ１６０／Ｋ２２０／ＳＣＰ１６０／Ｋ４４０
本発明段ボール箱（Ｂフルート側に折罫）
ＡＢ段  Ｋ２８０／強化１８０／紙管原紙３４０／強化１８０／Ｋ２８０
試料数：各３ケース
寸法  ：８８９×６８６×６１９
条件  ：温度２３℃  湿度５０％  ４８時間放置
【表１】
2005029219.tif 000003
【００１９】
この試験結果から、本発明段ボール箱１はＡＢフルートの複両面段ボール構造にもかかわらず、従来構造の複両面段ボールで形成したＡＡフルートの段ボール箱より高い耐圧強度を示している。尚、各試料の数値は坪量（g／m2）、Ｋはクラフトライナ、ＳＣＰは中しん原紙、強化は樹脂で強化した中しん原紙である。
【００２０】
ここで、ＡＢフルートの複両面段ボールにおいて、Ａフルート側とＢフルート側に折罫を入れて形成した段ボール箱の耐圧比較試験を表２に示す。
ＡＢ段  紙管原紙３４０／強化１８０／Ｋ２２０／強化１８０／紙管原紙３４０
試料数：各５ケース
寸法  ：６０３×５９８×５７０
条件  ：温度２３℃  湿度５０％  ４８時間放置
【表２】
2005029219.tif 000004
【００２１】
この試験結果から、段数の少ないＡフルート側から折罫を入れる従来の段ボール箱形成方法に比し、段数の多いＢフルート側から折罫を入れた段ボール箱の耐圧強度が明らかに高くなっている。尚、本試験に供した複両面段ボール構造は、本発明段ボール箱を形成する複両面段ボール構造と異なるが、本発明者が別途行った紙管原紙を用いない一般的なＡＢ段の複両面段ボール構造による比較試験においても、１８％〜２０％程度圧縮強度が高くなる結果が得られている。
【図面の簡単な説明】
【００２２】
【図１】（ａ）（ｂ）（ｃ）は、夫々本発明に係る段ボール箱を形成する段ボール構造の一例を示す部分断面図である。（実施例１）
【図２】本発明に係る段ボール箱の一例を示す斜視図である。
【図３】本発明に係る段ボール箱における折罫部分の他の例を示す部分斜視図である。（実施例２）
【符号の説明】
【００２３】
１  段ボール箱
１１  長さ面
１２  幅面
１３  フラップ
１４  折罫
１５  台座
２  中ライナ
３  紙管原紙
Ａ  Ａフルートの片面段ボール
Ｂ  Ｂフルートの片面段ボール
【図１】
2005029219.tif 000005
【図２】
2005029219.tif 000006
【図３】
2005029219.tif 000007